【手続補正書】
【提出日】平成16年12月20日(2004.12.20)
【手続補正１】
【補正対象書類名】明細書
【補正対象項目名】特許請求の範囲
【補正方法】変更
【補正の内容】
【特許請求の範囲】
【請求項１】
車両に備えるキャリパー型ブレーキ装置（５）において、これに用いるブレーキシューもしくはブレーキパッド等の摺擦制動部品（２）の制動面（４）に光を通過又は透過する光の通路（３）を設け、この部分を通して波長が４７０ｎｍ以下の短波長光（紫外線も含む）を含む光を摺擦制動部品（２）が摺接する面に照射する光照射手段（１）を備えたことを特徴とするブレーキ装置。
【請求項２】
前記光照射手段（１）の光源は、摺擦制動部品（２）が寿命に達するまでの磨耗範囲から離れて備えたことを特徴とする請求項１記載のブレーキ装置。
【請求項３】
前記光照射手段（１）の光源に発光ダイオードを用いたことを特徴とする請求項１記載のブレーキ装置。
【手続補正２】
【補正対象書類名】明細書
【補正対象項目名】０００１
【補正方法】変更
【補正の内容】
【０００１】
【発明の属する技術分野】
本発明は、ブレーキディスク、もしくはホイールリム等のブレーキ装置の摺擦相手
部品に蓄光機能、光触媒機能等の光照射により機能を発揮する手段を備えた車両に
用いる、光照射機能を備えたブレーキ装置に関するものである。
【手続補正３】
【補正対象書類名】明細書
【補正対象項目名】０００４
【補正方法】変更
【補正の内容】
【０００４】
【課題を解決するための手段】
車両に備えるキャリパー型ブレーキ装置（５）において、これに用いる摺擦制動
部品（２）の制動面（４）に光を通過又は透過する光の通路（３）を設け、この
部分を通して、波長が４７０ｎｍ以下の短波長光（紫外線も含む）を含む光を照射
する光照射手段（１）を備える。本発明は以上の構成よりなるブレーキ装置であって    蓄光機能部もしくは光触媒機能部（７）を有するブレーキディスク、あるいは
ホイールリム（６）等の摺擦相手部品と本発明を組み合わせて用いることによって
課題を解決する。
【手続補正４】
【補正対象書類名】明細書
【補正対象項目名】０００６
【補正方法】変更
【補正の内容】
【０００６】
これらの光を通過又は透過する光の通路（３）を通して光を照射する照明装置（１）
を設ける。光源には、波長が４７０ｎｍ以下の短波長光（紫外線も含む）を含む光を
照射可能なものを用いる。振動と衝撃に比較的強く、低電圧の直流電流による駆動が
出来、漏電し難いといった特徴を備えたものとして、短波長光の発光色を備えた
発光ダイオードがこの用途に向いていることから、これを使用する。この光照射
手段（１）の光源は摺擦制動部品（２）の保持部品に設けるか、摺擦制動部品（２）
本体に内蔵するか、ブレーキ装置外部に設ける。ブレーキ装置の外部に光源を設ける
場合は、光ファイバー等の導光部材を用いて光を摺擦制動部品（２）に導く。自転車
等のブレーキ装置の発熱が少ない車両の場合は、光源を摺擦制動部品（２）に内蔵
すれば簡素な構造となり、低コストで本発明を導入することが出来る。発熱が大きい
車両の場合は、ブレーキ装置の外部に照明装置（１）の光源を設けることでブレーキ
装置の発熱から保護し、光ファイバー等の導光部材を用いて光を摺擦制動部品（２）
まで導くことが望ましい。光照射手段（１）の光源を摺擦制動部品（２）本体に
内蔵する場合は、光源の破損を防ぐため、摺擦制動部品（２）が寿命に達するまでの
磨耗範囲から離れた位置に備える。
【手続補正５】
【補正対象書類名】明細書
【補正対象項目名】０００７
【補正方法】変更
【補正の内容】
【０００７】
本発明は以上の構成よりなるブレーキ装置である。例えば車輌の夜間視認性を改善
する効果を得る場合には、本発明を、ブレーキ摺接面に蓄光機能部（７）を備えた
ブレーキディスクもしくはホイールリム（６）と組み合わせて使用する。ブレーキ
装置の構造が、ディスクブレーキの場合は蓄光機能を備えたブレーキディスクと
組み合わせ、リムブレーキの場合は蓄光機能を備えたホイールリム（６）と組み
合わせる。これによって、走行中に光照射手段（１）からの光が全周の蓄光機能
部（７）に照射されることになる。光照射手段（１）の光に含まれる短波長光は
蓄光機能材料を効率的に励起し、自発光を促すことが出来るため、蓄光機能部（７）
を明るく自発光させることが出来る。
【手続補正６】
【補正対象書類名】明細書
【補正対象項目名】０００８
【補正方法】変更
【補正の内容】
【０００８】
例えばブレーキ装置の制動能力の維持、向上効果を得る場合には、本発明を、酸化
チタンコーティング等によって光触媒機能部（７）をブレーキ摺接面に備えた
ブレーキディスクもしくはホイールリム（６）等と組み合わせて使用する。ブレーキ
装置の構造が、ディスクブレーキの場合は光触媒機能部（７）を備えたブレーキ
ディスクと組み合わせ、リムブレーキの場合は光触媒機能部（７）を備えたホイール
リム（６）と組み合わせる。これによって、走行中に光照射手段（１）からの光が
全周の光触媒機能部(7)に照射されることになる。光照射手段（１）の光に含まれる
短波長光は、光触媒の触媒作用を活性化することが出来るため、これによって
もたらされる酸化分解反応によってブレーキ摺接面に付着した汚れの除去を促す
ことが可能となる。雨天においては、これに超親水効果による油分分離作用が加わる
ため、油性の汚れが効果的に洗い流され除去されるため、雨天における制動力の
劣化を従来よりも少なく抑えることが可能となる。また、車輌の視認性向上効果と、
ブレーキ装置の、制動能力の維持向上効果の両方を得る場合には、同様に本発明を、
蓄光機能と光触媒機能の両方を兼ね備えたブレーキディスク又はホイールリム（６）
と組み合わせて使用すればよい。
【手続補正７】
【補正対象書類名】明細書
【補正対象項目名】０００９
【補正方法】変更
【補正の内容】
【０００９】
【発明の効果】
本発明により、ブレーキ摺接面に蓄光機能部（７）を備えたブレーキディスク
もしくはホイールリム（６）と組み合わせて用いることで、夜間走行時に外部環境の
光に頼ること無く、常に蓄光機能部位（７）を明るく自発光せしめ、車両の視認性
を向上させることが出来る。また、ブレーキ摺接面に光触媒機能部（７）を備えた
ブレーキディスクもしくはホイールリム（６）と組み合わせて用いることで、光触媒
機能を活性化し、外部環境の光に頼らずに、摺擦制動部品（２）の相手側摺接面の
クリーニング効果が得られ、ブレーキ装置の制動性能が良好に維持される。また、
自転車等においては光照射手段（１）を摺擦制動部品（２）に内蔵することが可能で
あるため、光照射手段（１）を別体で取り付ける場合と比べて取り付け場所が確実に
確保でき、なおかつ外観意匠を簡素な状態に保つことが出来る。また、摺擦制動部品
（２）の位置調整がそのまま光照射位置の位置調整にもなるため、光照射位置の
個別の位置調整作業を不要にすることが出来る。
【手続補正８】
【補正対象書類名】明細書
【補正対象項目名】００１０
【補正方法】削除
【補正の内容】
【手続補正９】
【補正対象書類名】明細書
【補正対象項目名】図面の簡単な説明
【補正方法】変更
【補正の内容】
【図面の簡単な説明】
【図1】
本発明の断面図
【図２】
本発明の斜視図
【符号の説明】
１．光照射手段
２．摺擦制動部品（ブレーキシューもしくはブレーキパッド）
３．光の通路
４．制動面
５．キャリパー型ブレーキ装置
６．ホイールリム
７．蓄光機能部／光触媒機能部